(57)【要約】  タッチパネルセンサー用部材１Ａは、基板２と、導電性パターン３Ａ１〜３Ａｎからなる導電性パターン群３Ａとを備える。導電性パターン３Ａ１〜３Ａｎは、電極部４Ａ１〜４Ａｎと、引出配線部５Ａ１〜５Ａｎとを含む。電極部４Ａ１〜４ＡｎはＹ方向に沿って並列されている。平面視において、基板２のＹ方向の一側縁部２３に引出配線部５Ａ１〜５Ａｎの他端部５２が一つに集約されてなる接続端部領域６が形成されている。引出配線部５Ａ１〜５Ａｎは、他端部５２よりも線幅が太い幅広部５Ａ１１〜５Ａ１ｎを有する。隣り合う引出配線部５Ａ１〜５Ａｎの配線間隔同士が、引出配線部５Ａ１〜５Ａｎの一端部５１から他端部５２にかけて均一である。
2018225633.tif 000002
【特許請求の範囲】
【請求項１】
第一主面及び第二主面を有する基板と、
前記第一主面側に形成された、複数の導電性パターンからなる導電性パターン群と、を備える静電容量方式のタッチパネルセンサー用部材であって、
前記複数の導電性パターンの各々は、第一方向に延在する電極部と、一端部が前記電極部の一端部に電気的に接続された引出配線部とを含み、
前記複数の導電性パターンの前記電極部は、前記第一方向に対して直交する第二方向に沿って互いに並列されており、
平面視において、前記基板の前記第二方向の一側縁部に、前記複数の導電性パターンの前記引出配線部の他端部が一つに集約されてなる、タッチ位置を演算するタッチパネル制御部に電気的に接続するための接続端部領域が形成されており、
前記引出配線部は、前記他端部よりも線幅が太い幅広部を有し、
前記複数の導電性パターンの隣り合う前記引出配線部の配線間隔同士が、前記引出配線部の一端部から他端部にかけて均一である、
タッチパネルセンサー用部材。
【請求項２】
前記各配線間隔が、前記引出配線部の一端部から他端部にかけて一定である、
請求項１に記載のタッチパネルセンサー用部材。
【請求項３】
前記複数の導電性パターンの各々の前記幅広部の平面視における面積は、前記引出配線部の一端部から他端部までの長さが長いほど、大きい、
請求項１又は２に記載のタッチパネルセンサー用部材。
【請求項４】
隣り合う２つの前記導電性パターンのうちの前記一側縁部に近い前記導電性パターンの前記幅広部の線幅は、他方の前記導電性パターンの前記幅広部の線幅以下の太さである、
請求項１〜３のいずれか１項に記載のタッチパネルセンサー用部材。
【発明の詳細な説明】
【技術分野】
【０００１】
本開示は、一般にタッチパネルセンサー用部材に関し、より詳細には静電容量方式のタッチパネルセンサー部材に関する。
【背景技術】
【０００２】
従来、スマートフォン、タブレット、車載用ナビゲーション機器、パーソナルコンピューター、ゲーム機、現金自動預け払い機、テレビなどの、画像表示装置の前面にタッチパネル装置が配置された電子機器が広く用いられている。画像表示装置は、表示領域に画像を表示する画像表示機能を有する。タッチパネル装置は、液晶ディスプレイなどの画像表示装置と組み合わせて用いられ、画像が出力される表示領域においてタッチされたタッチ位置を検出する入力装置として機能する。【０００３】
タッチパネルセンサー装置は、タッチパネルセンサー、及びそれを制御するタッチパネル制御部を備える（例えば、特許文献１参照）。タッチパネルセンサーは、Ｘ軸とＹ軸による２次元座標を表現するために、複数のＸ電極と、このＸ電極に直交する複数のＹ電極とからなる検出電極を備える。このようなタッチパネルセンサーは、一般に、Ｘ電極を備えるタッチパネルセンサー用部材と、Ｙ電極を備えるタッチパネルセンサー用部材とを重ね合わせて構成される。タッチパネルセンサーの電極と、タッチパネル制御部とは、一般的には、フレキシブル配線基板を用いて電気的に接続されている。
【先行技術文献】
【特許文献】
【０００４】
【特許文献１】特開２０１７−４９７４９号公報
【発明の概要】
【０００５】
本開示は、非検出領域が狭くても、主検出領域においてタッチ位置による検出感度偏差が生じにくいタッチパネルセンサーとすることができるタッチパネルセンサー用部材を提供することを目的とする。
【０００６】
本開示の一態様に係るタッチパネルセンサー用部材は、第一主面及び第二主面を有する基板と、前記第一主面側に形成された、複数の導電性パターンからなる導電性パターン群と、を備える静電容量方式のタッチパネルセンサー用部材である。前記複数の導電性パターンの各々は、第一方向に延在する電極部と、一端部が前記電極部の一端部に電気的に接続された引出配線部とを含む。前記複数の導電性パターンの前記電極部は、前記第一方向に対して直交する第二方向に沿って互いに並列されている。平面視において、前記基板の前記第二方向の一側縁部に、前記複数の導電性パターンの前記引出配線部の他端部が一つに集約されてなる、タッチ位置を演算するタッチパネル制御部に電気的に接続するための接続端部領域が形成されている。前記引出配線部は、前記他端部よりも線幅が太い幅広部を有する。前記複数の導電性パターンの隣り合う前記引出配線部の配線間隔同士が、前記引出配線部の一端部から他端部にかけて均一である。
【図面の簡単な説明】
【０００７】
【図１】図１Ａは、本開示の第一実施形態に係るタッチパネルセンサー用部材の概略正面図である。図１Ｂは、図１Ａ中の切断線Ｚ−Ｚに従って切断したタッチパネルセンサー用部材の概略断面図である。
【図２】図２は、本開示の第一実施形態に係るタッチパネルセンサー用部材の隣り合う３つの第一導電性パターンの第一引出配線部の概略正面図である。
【図３】図３Ａは、本開示の第一実施形態に係るタッチパネルセンサー用部材の第一使用形態に係るタッチパネルセンサーの概略正面図である。図３Ｂは、図３Ａ中の切断線Ｚ−Ｚに従って切断したタッチパネルセンサーの概略断面図である。
【図４】図４は、図３Ａに示すタッチパネルセンサーに用いる別のタッチパネルセンサー用部材の概略正面図である。
【図５】図５は、本開示の第二実施形態に係るタッチパネルセンサー用部材の概略正面図である。
【図６】図６は、本開示の第二実施形態に係るタッチパネルセンサー用部材の隣り合う３つの第二導電性パターンの第二引出配線部の概略正面図である。
【図７】図７は、本開示の第三実施形態に係るタッチパネルセンサー用部材の概略正面図である。
【図８】図８は、本開示の第三実施形態に係るタッチパネルセンサー用部材の隣り合う３つの第三導電性パターンの第三引出配線部の概略正面図である。
【図９】図９は、比較例の静電容量式センサの概略正面図である。
【発明を実施するための形態】
【０００８】
［比較例］
図９にタッチパネルセンサーの比較例を示す。このタッチパネルセンサーは、静電容量式センサ１００である。この静電容量式センサ１００は、図９に示すように、基板１１０と、複数の第１の電極１２０と、複数の第２の電極１３０と、複数の配線部１４０とを備える。第１の電極１２０はＸ方向に延在している。第２の電極１３０はＹ方向に延在している。複数の第１の電極１２０及び複数の第２の電極１３０は、検出領域１００Ａ内に形成されている。複数の配線部１４０は、それぞれ線幅が一定であり、検出領域１００Ａの外側の非検出領域１００Ｂ内に形成されている。複数の配線部１４０の先端１４１は、図９に示すように、１つに集約されて外部接続部１５０を構成している。外部接続部１５０は、基板１１０の第一側縁部１１０ＡのＹ方向の中央部に形成されており、フレキシブル配線基板２００の回路配線と電気的に接続されている。図９中、１１０Ｂは第二側縁部、１２０Ａは複数の第一の電極１２０のうちＹ方向の最も外側に位置する一方の第一の電極、１２０Ｂは複数の第一の電極１２０のうちＹ方向の最も外側に位置する他方の第一の電極、１３０Ａは複数の第２の電極１３０のうち最も第一側縁部１１０Ａ側に位置する第二の電極、１３０Ｂは複数の第２の電極１３０のうち最も第二側縁部１１０Ｂ側に位置する第二の電極である。
【０００９】
図９に示すタッチパネルセンサーでは、複数の配線部１４０は、それぞれ線幅が一定であるものの、それぞれ配線長が一定でないため、各電極１２０，１３０には信号を伝搬する速度に大きな違いが生じる。これは、検出領域１００Ａ内においてタッチ位置が外部接続部１５０の位置に遠いほど、タッチ操作に対する表示反応が遅れる原因となる。すなわち、タッチ位置によって検出感度に偏差が生じる原因となる。このような検出感度偏差の発生はタッチパネル制御部によって抑制されるものの、タッチパネルセンサーが大型になるほどタッチパネル制御部にかかる負担がより大きくなる。そのため、特に、検出領域１００Ａ内の最外側の電極１２０Ａ，１２０Ｂ，１３０Ａ，１３０Ｂに対応する領域を除いた主検出領域において、各電極の信号の伝搬時間（以下、信号伝搬時間）がより均一なタッチパネルセンサー用部材が望ましい。
【００１０】
このような信号伝搬時間は、時定数ＲＣと近似して考えてよい。ここでＲは配線抵抗であり、Ｃは配線容量である。配線容量は、配線間容量（coupling capacitance）、フリンジ容量（fringing capacitance）を含む。そのため、配線抵抗及び配線容量のそれぞれを低減することで、信号伝搬時間を短くできる。また、配線の線幅をより太く設計すること、複数の配線の配線長をそれぞれ均一となるように設計することなどにより、配線抵抗及び配線容量を調整することで、それぞれの配線の信号伝搬時間をより均一にできる。
【００１１】
図９に示すタッチパネルセンサーでは、外部接続部１５０が基板１１０の第一側縁部１１０ＡのＹ方向の中央部に形成されているため、図９に示すように、複数の第１の電極１２０及び複数の第２の電極１３０の配線部１４０が密集している。そのため、複数の配線部１４０の線幅を太く設計するには限界がある。また、複数の配線の配線長をそれぞれより均一にするには、非検出領域１００Ｂの幅Ｌ１００をより広げ、スペースを確保する必要がある。しかしながら、非検出領域１００Ｂの幅Ｌ１００を広げると、意匠性などの観点から、表示領域を一定に保ったまま画像表示装置の外形寸法を小さくしたい要求、すなわち非検出領域１００Ｂをできる限り狭くしたいという要求に応えられないおそれがある。
【００１２】
［第一実施形態に係るタッチパネルセンサー用部材１Ａ］
図１Ａは、第一実施形態に係るタッチパネルセンサー用部材１Ａ（以下、第一タッチパネルセンサー用部材１Ａという）の概略正面図である。図１Ｂは、図１Ａ中の切断線Ｚ−Ｚに従って切断した第一タッチパネルセンサー用部材１Ａの概略断面図である。
【００１３】
第一タッチパネルセンサー用部材１Ａは、静電容量方式のタッチパネル装置に用いられる部材であり、図１Ａ及び図１Ｂに示すように、第一基板２と、第一導電性パターン群３Ａとを備える。第一基板２は、第一主面２１及び第二主面２２を有する。第一導電性パターン群３Ａは、第一主面２１上に直接形成されており、複数の第一導電性パターン３Ａ１〜３Ａｎからなる。複数の第一導電性パターン３Ａ１〜３Ａｎは、第一電極部４Ａ１〜４Ａｎと、第一引出配線部５Ａ１〜５Ａｎとからなる。第一電極部４Ａ１〜４Ａｎは、第一方向（以下、Ｘ方向）に延在している。第一引出配線部５Ａ１〜５Ａｎは、第一幅広部５Ａ１１〜５Ａ１ｎと、第一線部５Ａ２１〜５Ａ２ｎとからなる。複数の第一導電性パターン３Ａ１〜３Ａｎは、第一幅広部５Ａ１１〜５Ａ１ｎのＸ方向の長さ及び第一線部５Ａ２１〜５Ａ２ｎのＸ方向に対して直交する第二方向（以下、Ｙ方向）の長さがそれぞれ異なる他は同一の構成である。複数の第一導電性パターン３Ａ１〜３Ａｎの第一電極部４Ａ１〜４Ａｎは、Ｙ方向に沿って互いに同じ間隔をあけて並列されている。平面視において、第一基板２のＹ方向の第一側縁部２３に、外部のタッチパネル制御部に電気的に接続するための接続端部領域６が形成されている。接続端部領域６は、複数の第一導電性パターン３Ａ１〜３Ａｎの第一引出配線部５Ａ１〜５Ａｎの他端部５２が一つに集約されてなる。第一幅広部５Ａ１１〜５Ａ１ｎの線幅Ｗ２（Ｙ方向の長さ）は、第一引出配線部５Ａ１〜５Ａｎの他端部５２の線幅、すなわち第一線部５Ａ２１〜５Ａ２ｎの線幅（Ｘ方向の長さ）より太い。複数の第一導電性パターン３Ａ１〜３Ａｎの第一幅広部５Ａ１１〜５Ａ１ｎの平面視における面積は、第一引出配線部５Ａ１〜５Ａｎの一端部５１から他端部５２までの長さが長いほど大きい。複数の第一導電性パターン３Ａ１〜３Ａｎの隣り合う第一引出配線部５Ａ１〜５Ａｎの配線間隔同士が、第一引出配線部５Ａ１〜５Ａｎの一端部５１から他端部５２にかけて均一である。個数ｎは、１以上の整数であり、画像表示装置の表示領域の寸法、アスペクト比などに応じて適宜調整すればよい。
【００１４】
ここで、複数の第一導電性パターン３Ａ１〜３Ａｎの隣り合う第一引出配線部５Ａ１〜５Ａｎの配線間隔同士が、第一引出配線部５Ａ１〜５Ａｎの一端部５１から他端部５２にかけて均一であるとは、隣り合う第一幅広部５Ａ１１〜５Ａ１ｎ同士の対向する配線間隔Ｉ１がそれぞれ同じ間隔であり、隣り合う第一線部５Ａ２１〜５Ａ２ｎ同士の対向する配線間隔Ｉ２がそれぞれ同じ間隔であることをいう。すなわち、隣り合う複数の第一導電性パターン３Ａ１〜３Ａｎの構成部位の各々は、同じ間隔をあけて、規則的に配置されている。
【００１５】
第一実施形態では、上述したように、平面視において、第一基板２の第一側縁部２３に接続端部領域６が形成されている。これにより、第一タッチパネルセンサー用部材１Ａと別のタッチパネルセンサー用部材とを、各々の引出配線部が平面視において重なり合わないように組み合わせて、接続端部領域が一ヵ所にまとめられた図３に示すようなタッチパネルセンサーを構成する際、非検出領域１２内の第三側縁部２５側の引出配線領域１３を第一引出配線部５Ａ１〜５Ａｎのみが形成される領域とすることができる。これにより、非検出領域１２内の引出配線領域１３が狭くても、図９に示すタッチパネルセンサー用部材に比べて、第一引出配線部５Ａ１〜５Ａｎの形状などを調整するためのスペースをより効率的に確保することができる。また、第一実施形態では、接続端部領域６が上述した位置に形成されているので、第一導電性パターン３Ａ１〜３ＡｎがＹ方向において第二側縁部２４側に位置するほど、第一引出配線部５Ａ１〜５Ａｎの一端部５１から他端部５２までの長さが長い。
【００１６】
第一実施形態では、上述したように、第一引出配線部５Ａ１〜５Ａｎは、他端部５２よりも線幅が太い第一幅広部５Ａ１１〜５Ａ１ｎを有する。これにより、図９に示すような配線部のそれぞれ線幅が一定のタッチパネルセンサー用部材に比べて、第一引出配線部５Ａ１〜５Ａｎの配線抵抗を低減することができる。
【００１７】
第一実施形態では、複数の第一導電性パターン３Ａ１〜３Ａｎの第一幅広部５Ａ１１〜５Ａ１ｎの平面視における面積は、第一引出配線部５Ａ１〜５Ａｎの一端部５１から他端部５２までの長さが長いほど大きい。すなわち、第一導電性パターン３Ａ１〜３ＡｎがＹ方向において第二側縁部２４側に位置するほど、第一幅広部５Ａ１１〜５Ａ１ｎの平面視における面積が大きい。これにより、第一タッチパネルセンサー用部材１Ａの第一幅広部５Ａ１１〜５Ａ１ｎの平面視における面積が同じである構成よりも、Ｙ方向において、第一側縁部２３側に最も遠くに配置された第一導電性パターン３Ａ１の第一引出配線部５Ａ１と、第一側縁部２３側に最も近くに配置された第一導電性パターン３Ａｎの第一引出配線部５Ａｎとの配線抵抗の差がより小さくなる。そのため、第一引出配線部５Ａ１〜５Ａｎは、配線抵抗がより均一となる。
【００１８】
第一実施形態では、上述したように、複数の第一導電性パターン３Ａ１〜３Ａｎの隣り合う第一引出配線部５Ａ１〜５Ａｎの配線間隔同士が、第一引出配線部５Ａ１〜５Ａｎの一端部５１から他端部５２にかけて均一である。これにより、第一導電性パターン３Ａ１〜３Ａｎの構成部位の各々が不規則的に配置されている構成よりも、Ｙ方向において、第二側縁部２４側から２番目に配置された第一導電性パターン３Ａ２の第一引出配線部５Ａ２と、第一側縁部２３側から２番目に配置された第一導電性パターン３Ａｎ−１の第一引出配線部５Ａｎ−１との配線間容量の差がより小さくなる。すなわち、第一導電性パターン３Ａ２〜３Ａｎ−１の第一引出配線部５Ａ１〜５Ａｎの配線間容量は、第一導電性パターン３Ａ１〜３Ａｎの構成部位の各々が不規則的に配置されている構成に比べて、より均一となる。
【００１９】
配線間容量は、シミュレータを用いて容量のみを抽出することで確認することができる。シミュレータとしては、株式会社図研製の回路・基板設計ソフトウェア「ＣＡＤＶＡＮＣＥ」などを用いることができる。
【００２０】
これらにより、第一実施形態によれば、非検出領域１２が狭くても、検出領域１１内の第一導電性パターン３Ａ１，３Ａｎに対応する領域を除いた主検出領域において、図９に示すタッチパネルセンサーに比べて、第一引出配線部５Ａ１〜５Ａｎの配線間容量及び配線抵抗をより均一にすることができる。すなわち、第一導電性パターン３Ａ１〜３Ａｎのそれぞれの信号伝搬時間をより均一にできるので、第一導電性パターン群３Ａを大型化しても、タッチパネル制御部に過度の負担をかけることなく、タッチ位置による検出感度偏差が生じにくいタッチパネルセンサーとすることができる。
【００２１】
第一導電性パターン３Ａ１及び第一導電性パターン３Ａｎは、第一導電性パターン３Ａ２〜３Ａｎ−１と異なり、片隣のみに第一導電性パターン３Ａ２，３Ａｎ−１が配置されている。これにより、第一導電性パターン３Ａ１及び第一導電性パターン３Ａｎの配線間容量は、第一導電性パターン３Ａ２〜３Ａｎ−１の配線間容量よりも小さい。そのため、第一導電性パターン３Ａ１，３Ａｎと、第一導電性パターン３Ａ２〜３Ａｎ−１とは、信号伝搬時間が大きく異なる。この点について、第一導電性パターン群３Ａと電気的に接続されるタッチパネル制御部の接続の仕方により、第一導電性パターン３Ａ１，３Ａｎと、第一導電性パターン３Ａ２〜３Ａｎ−１との信号伝搬時間の差を小さくすることができる。そのため、第一導電性パターン３Ａ１及び第一導電性パターン３Ａｎの配線間容量を調整するために、Ｙ方向において、第一導電性パターン３Ａ１の第二側縁部２４側及び第一導電性パターン３Ａｎの第一側縁部２３側にダミー電極を配置する必要はない。その結果、非検出領域１２内の引出配線領域１３が狭くても、図９に示すタッチパネルセンサーに比べて、第一引出配線部５Ａ１〜５Ａｎの形状などを調整するためのスペースをより効率的に確保することができる。第一導電性パターン群３Ａと電気的に接続されるタッチパネル制御部との接続方法としては、例えば、ＡＣＦ（Anisotropic Conductive Film）を加圧及び加熱することにより接続されたＦＦＣ（Flexible Flat Cable）やＦＰＣ（Flexible Printed Circuit）を用いる方法などが挙げられる。
【００２２】
第一タッチパネルセンサー用部材１Ａは、図１Ａに示すように、平面視において、検出領域１１及び非検出領域１２を有する。検出領域１１は、画像表示装置の画像が出力される表示領域に対応する領域である。非検出領域１２は、画像表示装置の画像が出力されない非表示領域に対応する領域であり、検出領域１１の外縁を囲むように形成されている。
【００２３】
検出領域１１の形状、寸法などは、画像表示装置の使用用途などに応じて適宜調整すればよい。検出領域１１の対角線の長さは、好ましくは５インチ以上２００インチ以下、より好ましくは２０インチ以上１００インチ以下である。ワイド型の検出領域１１のアスペクト比（縦横比）は、例えば、１６：９、１６：１０、２．３５：１、２０：１などが挙げられる。スクエア型の検出領域１１のアスペクト比は、４：３、５：４、１：１などが挙げられる。特に、検出領域１１の形状がＹ方向を長手方向とするワイド型の場合、検出領域１１の対角線の長さが長いほど、第一タッチパネルセンサー用部材１Ａは、図９に示すタッチパネルセンサー用部材よりも配線抵抗を低減する効果をより有効に発現する。
【００２４】
接続端部領域６は、第一導電性パターン群３Ａと、タッチパネル制御部とを電気的に接続するための領域であり、平面視において、非検出領域１２内のＹ方向の第一側縁部２３のＸ方向の第三側縁部２５側に形成されている。これにより、接続端部領域６が、平面視において、非検出領域１２内のＹ方向の第一側縁部２３のＸ方向の中央部に形成されている構成に比べて、第一引出配線部５Ａ１〜５Ａｎの配線長をより短くすることができ、配線抵抗をより低減することができる。
【００２５】
〔第一基板２〕
第一基板２は、板状であり、電気的絶縁性及び透明性を有する。第一基板２の厚さは、使用用途に応じて適宜調整すればよく、好ましくは１０μｍ以上４００μｍ以下、より好ましくは５０μｍ以上２００μｍ以下である。第一基板２を構成する材質としては、例えば、プラスチック、ガラスなどを用いることができる。プラスチックとしては、例えば、アクリル樹脂、ポリエチレン（ＰＥ）、ポリエチレンテレフタレート（ＰＥＴ）、ポリイミド（ＰＩ）、ポリスチレン（ＰＳ）、ポリメタクリル酸メチル（ＰＭＭＡ）、ポリカーボネート（ＰＣ）、ポリ塩化ビニル（ＰＶＣ）、ポリ塩化ビニリデン（ＰＶＤＣ）、ポリプロピレン（ＰＰ）、ポリアミド（ＰＡ）、ポリアミドイミド（ＰＡＩ）、ポリエーテルイミド（ＰＥＩ）、ポリブチレンテレフタラート（ＰＢＴ）、ポリエチレンナフタレート（ＰＥＮ）などを用いることができる。なかでも、光透過性や加工性等の観点から、ＰＥＴが好ましい。第一基板２は、必要に応じて機能層を有していてもよい。機能層としては、例えば、密着性を強化する下塗り層、特定の波長の光を吸収してハレーションを防止する光学フィルタ層、帯電防止層、透過率を向上させる屈折調整層などが挙げられる。
【００２６】
第一実施形態では、図１Ａに示すように第一基板２の形状は長方形であるが、本開示はこれに限定されず、搭載される画像表示装置の形状などに応じて適宜調整すればよく、例えば、正方形などであってもよい。
【００２７】
〔第一導電性パターン群３Ａ〕
第一導電性パターン群３Ａは、第一基板２の第一主面２１上に直接形成されている。第一導電性パターン群３Ａは、複数の第一導電性パターン３Ａ１〜３Ａｎを有する。第一導電性パターン３Ａ１〜３Ａｎは、Ｙ方向に沿って、互いに電気的に絶縁されて並列されている。すなわち、平面視において、図１Ａに示すように、第一導電性パターン３Ａ１〜３Ａｎは、それぞれ重なり合わないように同じ間隔をあけて配置されている。
【００２８】
第一実施形態では、第一導電性パターン群３Ａは、第一基板２の第一主面２１上に直接形成されているが、本開示はこれに限定されず、第一導電性パターン群３Ａは、第一基板２の第一主面２１側に形成されていればよい。その例として、第一導電性パターン群３Ａは、公知の透明接着剤で形成された透明接着層を介して、第一基板２の第一主面２１上に形成されていてもよい。また、第一基板２の第一主面２１側に形成された第一導電性パターン群３Ａとは別の導電性パターン群が、第一基板２の第二主面２２上にさらに形成されていてもよい。
【００２９】
｛第一導電性パターン３Ａ１｝
第一導電性パターン３Ａ１は、図１Ａに示すように、Ｘ方向に延在する第一電極部４Ａ１と、第一引出配線部５Ａ１とからなる。第一引出配線部５Ａ１の一端部５１は、図１Ａに示すように、第一電極部４Ａ１の一端部４１と電気的に接続されている。すなわち、第一電極部４Ａ１及び第一引出配線部５Ａ１は一体化されており、これらは互いに電気的に接続されている。
【００３０】
第一導電性パターン３Ａ１の各構成部位の厚みは同一である。第一導電性パターン３Ａ１の厚みは好ましくは０．１μｍ以上１０μｍ以下である。第一導電性パターン３Ａ１を構成する材質としては、例えば、金属、金属酸化物、合金などを用いることができる。金属としては、例えば、銅（Ｃｕ）、銀（Ａｇ）、アルミニウム（Ａｌ）、クロム（Ｃｒ）、ニッケル（Ｎｉ）、モリブデン（Ｍｏ）、鉄（Ｆｅ）、金（Ａｕ）、チタン（Ｔｉ）、インジウム（Ｉｎ）、スズ（Ｓｎ）、亜鉛（Ｚｎ）、ガリウム（Ｇａ）などを用いることができる。金属酸化物としては、例えば、酸化スズを含有する酸化インジウム（ＩＴＯ）、アンチモンを含有する酸化スズ（ＡＴＯ）などを用いることができる。第一導電性パターン３Ａ１の各構成部位の材質は同じあってもよいし、異なっていてもよい。なかでも、第一導電性パターン３Ａ１の配線抵抗を低減させるなどの観点から、第一導電性パターン３Ａ１の各構成部位の材質は銅であることが好ましい。
【００３１】
第一実施形態では、第一電極部４Ａ１と、第一引出配線部５Ａ１とからなるが、本開示は、これに限定されず、第一電極部４Ａ１及び第一引出配線部５Ａ１を含んでいればよい。その例として、第一電極部４Ａ１と、第一引出配線部５Ａ１との間に、Ｘ方向に延在する線部が介在していてもよい。第一実施形態では、第一導電性パターン３Ａ１の各構成部位の厚みは同一であるが、本開示はこれに限定されず、第一導電性パターン３Ａ１の各構成部位の厚みは異なっていてもよい。その例として、第一引出配線部５Ａ１の配線抵抗を低減させるなどの観点から、第一引出配線部５Ａ１の厚みは第一電極部４Ａ１の厚みよりも厚くてもよい。
【００３２】
（第一電極部４Ａ１）
第一電極部４Ａ１は、図１Ａに示すように、Ｘ方向に延在しており、第一電極パッド部４Ａ１１、透視性に優れるメッシュ構造を有する第一透視性電極部４Ａ２１及び第二電極パッド部４Ａ３１を有する。第一電極パッド部４Ａ１１、第一透視性電極部４Ａ２１及び第二電極パッド部４Ａ３１は、この順に配置されて一体化されており、これらは互いに電気的に接続されている。以下、第一電極パッド部４Ａ１１及び第二電極パッド部４Ａ３１を、まとめて電極パッド部４Ａ１１，４Ａ３１という場合がある。
【００３３】
第一電極パッド部４Ａ１１、第一透視性電極部４Ａ２１及び第二電極パッド部４Ａ３１の幅Ｗ１は、それぞれ同一である。幅Ｗ１は、第一線部５Ａ２１の線幅に対して、好ましくは３０００μｍ以上１００００μｍ以下である。第一実施形態では、第一電極パッド部４Ａ１１、第一透視性電極部４Ａ２１及び第二電極パッド部４Ａ３１の幅Ｗ１はそれぞれ同一であるが、本開示はこれに限定されず、電極パッド部４Ａ１１，４Ａ３１のＹ方向の長さは第一透視性電極部４Ａ２１のＹ方向の長さよりも長くてもよいし、短くてもよい。第一実施形態では、第一電極部４Ａ１であるが、本開示はこれに限定されず、静電容量方式のタッチパネルセンサーに用いることができる電極であればよい。その例として、複数の菱形電極体が直線状に連結してパターニングされた電極などを用いることができる。第一電極部４Ａ１が複数の菱形電極体が直線状に連結してパターニングされた電極である場合、第一電極部４Ａ１は電極パッド部４Ａ１１，４Ａ３１を備えていなくてもよい。
【００３４】
（第一透視性電極部４Ａ２１）
第一透視性電極部４Ａ２１は、透視性を有するメッシュ構造であり、その外形（輪郭形状）はＸ方向を長手方向とする略バー形状（略帯形状）である。第一透視性電極部４Ａ２１の大部分は、検出領域１１内に配置されている。
【００３５】
メッシュ構造は、金属細線で構成された正方格子で構成されている。金属細線の線幅は、好ましくは１μｍ以上８μｍ以下、より好ましくは１μｍ以上３μｍ以下である。金属細線の線幅が上記範囲内であれば、金属細線が断線しにくく、第一透視性電極部４Ａ２１の形状を肉眼でより認識しにくくすることができる。金属細線は、その上面又は側面に黒化膜を有していてもよい。これにより、金属細線を構成する材質に半射率の高い金属を用いても、金属細線が視認されにくくなる。黒化膜を構成する材質としては、金属酸化物、金属硫化物、クロム、カーボンなどを用いることができる。第一透視性電極部４Ａ２１のＸ方向の長さは、検出領域１１の寸法などに応じて、適宜調整すればよい。第一実施形態では、金属細線で構成された格子は正方格子であるが、本開示はこれに限定されず、金属細線で構成された格子は、例えば、三角格子、長方形格子、ひし形格子、六角形格子などであってもよい。
【００３６】
（電極パッド部４Ａ１１，４Ａ３１）
電極パッド部４Ａ１１，４Ａ３１は、金属細線の複数を１つに結線する。これにより、金属細線の一部に断線が発生したとしてもタッチ位置を検出することができ、第一タッチパネルセンサー用部材１Ａを用いたタッチパネルセンサーは故障しにくくなる。
【００３７】
電極パッド部４Ａ１１，４Ａ３１は、図１Ａに示すように、非検出領域１２内に配置されており、Ｙ方向に沿って延在したベタ構造を有する。すなわち、電極パッド部４Ａ１１，４Ａ３１の輪郭形状は、Ｙ方向を長手方向とするバー形状である。電極パッド部４Ａ１１，４Ａ３１のＸ方向の長さは、好ましくは５００μｍ以上３０００μｍ以下である。電極パッド部４Ａ１１，４Ａ３１と、金属細線との接点の数は、好ましくは４個以上６個以下である。ベタ構造とは、いわゆるベタパターンであり、開口した部位を有さない構造を意味する。
【００３８】
（第一引出配線部５Ａ１）
第一引出配線部５Ａ１は、図１Ａに示すように、第一幅広部５Ａ１１、及び第一線部５Ａ２１を有する。第一幅広部５Ａ１１、及び第一線部５Ａ２１は、この順に配置されて一体化されており、これらは互いに電気的に接続されている。第一引出配線部５Ａ１は、非検出領域１２内に配置されている。
【００３９】
第一引出配線部５Ａ１の一端部５１から他端部５２にかけての配線長は、検出領域１１の寸法などに応じて適宜調整すればよく、好ましくは５０ｍｍ以上１５００ｍｍ以下である。
【００４０】
第一実施形態では、第一引出配線部５Ａ１の形状は略Ｌ字であるが、本開示はこれに限定されず、第一引出配線部５Ａ１の形状は、第一引出配線部５Ａ１の他端部５２が接続端部領域６を形成することができる形状であれば、特に限定されない。
【００４１】
＜第一幅広部５Ａ１１＞
第一幅広部５Ａ１１は、図１Ａに示すように、Ｘ方向に沿って延在し、その線幅Ｗ２が第一線部５Ａ２１の線幅の各々よりも大きい直線形状である。すなわち、第一幅広部５Ａ１１の輪郭形状は、Ｘ方向を長手方向とするバー形状である。第一実施形態では、第一幅広部５Ａ１１と、第二電極パッド部４Ａ３１とは、ベタ構造を形成している。
【００４２】
第一幅広部５Ａ１１のＸ方向の長さは、検出領域１１の寸法などに応じて適宜調整すればよく、好ましくは１００μｍ以上１００００μｍ以下である。第一幅広部５Ａ１１の線幅Ｗ２は、第一電極パッド部４Ａ１１、第一透視性電極部４Ａ２１及び第二電極パッド部４Ａ３１の幅Ｗ１と同一である。
【００４３】
第一実施形態では、第一幅広部５Ａ１１のＹ方向の長さは、第一電極パッド部４Ａ１１、第一透視性電極部４Ａ２１及び第二電極パッド部４Ａ３１の幅Ｗ１と同一であるが、本開示はこれに限定されず、第一幅広部５Ａ１１のＹ方向の長さは、第一電極パッド部４Ａ１１、第一透視性電極部４Ａ２１及び第二電極パッド部４Ａ３１のＹ方向の長さＷ１よりも短くてもよいし、長くてもよい。
【００４４】
＜第一線部５Ａ２１＞
第一線部５Ａ２１は、図１Ａに示すように、Ｙ方向に沿って延在した直線形状である。第一線部５Ａ２１のＹ方向の長さは、検出領域１１の寸法などに応じて適宜調整すればよく、好ましくは３０ｍｍ以上２５００ｍｍ以下である。第一線部５Ａ２１のＹ方向の長さは、配線抵抗を低減させる観点から、短ければ短いほど好ましい。第一線部５Ａ２１の線幅は、接続端部領域６において接合するフレキシブル配線基板の回路配線の配線間隔などに応じて適宜調整すればよく、好ましくは１０μｍ以上２００μｍ以上である。
【００４５】
＜第一導電性パターン３Ａ２〜３Ａｎ＞
図２は、第一タッチパネルセンサー用部材１Ａの隣り合う３つの第一導電性パターン３Ａｍ−１，３Ａｍ，３Ａｍ＋１の第一引出配線部５Ａｍ−１，５Ａｍ，５Ａｍ＋１の概略正面図である。図２中、第一導電性パターン３Ａｍは、第一導電性パターン３Ａ１〜３Ａｎのうちの任意の１つである。第一導電性パターン３Ａｍ＋１は、第一導電性パターン３Ａｍと隣り合う２つの第一導電性パターン３Ａｍ＋１，３Ａｍ−１のうちの第一側縁部２３側に配置された第一導電性パターンである。第一導電性パターン３Ａｍ−１は、第一導電性パターン３Ａｍと隣り合う２つの第一導電性パターン３Ａｍ＋１，３Ａｍ−１のうちの第二側縁部２４側に配置された導電性パターンである。ｍは、２以上（ｎ−１）以下の整数である。
【００４６】
第一導電性パターン３Ａ２〜３Ａｎの構成は、第一幅広部５Ａ１２〜５Ａ１ｎのＸ方向の長さ及び第一線部５Ａ２２〜５Ａ２ｎのＹ方向の長さがそれぞれ異なる他は、第一導電性パターン３Ａ１の構成と同一である。具体的に、第一導電性パターン３Ａｍの第一幅広部５Ａ１ｍのＸ方向の長さは、第一導電性パターン３Ａ１の第一幅広部５Ａ１１のＸ方向の長さよりも、（配線間隔Ｉ２の長さ）の（ｍ−１）倍の長さ分短い。そのため、第一幅広部５Ａ１ｍの面積は、第一幅広部５Ａ１１の面積よりも（第一幅広部５Ａ１１〜５Ａ１ｎの幅Ｗ２の長さ）×（配線間隔Ｉ２の長さ）の（ｍ−１）倍の面積分小さい。また、第一導電性パターン３Ａｍの第一線部５Ａ２ｍのＹ方向の長さは、第一導電性パターン３Ａ１の第一線部５Ａ２ｍのＹ方向の長さよりも、（配線間隔Ｉ１の長さ及び第一幅広部５Ａ１１〜５Ａ１ｎの幅Ｗ２の長さの和）の（ｍ−１）倍の長さ分短い。このように第一幅広部５Ａ１１〜５Ａ１ｎのＸ方向の長さ及び第一線部５Ａ２１〜５Ａ２ｎのＹ方向の長さは、第一導電性パターン３Ａ１〜３ＡｎがＹ方向において第一側縁部２３側に位置するほど、規則的に小さくなる。
【００４７】
第一引出配線部５Ａ１〜５Ａｎの一端部５１は、図１Ａに示すように、第一電極部４Ａ１〜４Ａｎの一端部４１と電気的に接続されている。すなわち、第一引出配線部５Ａ１〜５Ａｎは、第一電極部４Ａ１〜４Ａｎに対して、第三側縁部２５側のみに形成されている。これにより、図９に示すタッチパネルセンサーに比べて、第一引出配線部５Ａ１〜５Ａｎの配線長をより短くすることができる。
【００４８】
第一導電性パターン３Ａｍの第一電極部４Ａｍと、この第一導電性パターン３Ａｍに隣り合う第一導電性パターン３Ａｍ＋１，３Ａｍ−１の第一電極部４Ａｍ＋１，４Ａｍ−１とが対向する配線間隔Ｄは、それぞれ同じ間隔である。すなわち、隣り合う第一導電性パターン３Ａ１〜３Ａｎの第一電極部４Ａ１〜４Ａｎは、それぞれ同じ構成で同じ間隔を空けて配置されている。第一電極部４Ａ１〜４Ａｎの配線間隔Ｄは、特に限定されず、第一導電性パターン群３Ａの寸法に応じて適宜調整すればよく、好ましくは５０μｍ以上２００μｍ以下である。
【００４９】
第一導電性パターン３Ａｍの第一幅広部５Ａ１ｍと、この第一導電性パターン３Ａｍに隣り合う第一導電性パターン３Ａｍ＋１，３Ａｍ−１の第一幅広部５Ａ１ｍ＋１，５Ａ１ｍ−１とが対向する配線間隔Ｉ１は、それぞれ同じ間隔である。すなわち、隣り合う第一導電性パターン３Ａ１〜３Ａｎの第一幅広部５Ａ１１〜５Ａ１ｎは、それぞれ同じ間隔を空けて配置されている。第一幅広部５Ａ１２〜５Ａ１ｎ−１の配線間隔Ｉ１は、第一電極部４Ａ１〜４Ａｎの配線間隔Ｄと同じ間隔である。第一実施形態では、第一幅広部５Ａ１２〜５Ａ１ｎ−１の配線間隔Ｉ１は、第一電極部４Ａ１〜４Ａｎの配線間隔Ｄと同じ間隔であるが、本開示はこれに限定されず、配線間隔Ｉ１は、配線間隔Ｄよりも大きくてもよいし、小さくてもよい。
【００５０】
第一導電性パターン３Ａｍの第一線部５Ａ２ｍと、この第一導電性パターン３Ａｍに隣り合う第一導電性パターン３Ａｍ＋１，３Ａｍ−１の第一線部５Ａ２ｍ＋１，５Ａ２ｍ−１とが対向する配線間隔Ｉ２は、それぞれ同じ間隔である。すなわち、隣り合う第一導電性パターン３Ａ１〜３Ａｎの第一線部５Ａ２１〜５Ａ２ｎは、それぞれ同じ間隔を空けて配置されている。第一線部５Ａ２１〜５Ａ２ｎの配線間隔Ｉ２は、第一電極部４Ａ１〜４Ａｎの配線間隔Ｄと同じであり、接続端部領域６において接合するフレキシブル配線基板の回路配線の配線間隔に合わせて、適宜調整すればよい。なお、第一実施形態では、第一線部５Ａ２１〜５Ａ２ｎの配線間隔Ｉ２は、第一電極部４Ａ１〜４Ａｎの配線間隔Ｄと同じ間隔であるが、本開示はこれに限定されず、配線間隔Ｉ２は、配線間隔Ｄよりも大きくてもよいし、小さくてもよい。配線間隔Ｉ２は、接続端部領域６において接合するフレキシブル配線基板の回路配線の配線間隔などに応じて適宜調整すればよい。
【００５１】
［第一実施形態に係るタッチパネルセンサー用部材１Ａの製造方法］
第一タッチパネルセンサー用部材１Ａの製造方法としては、例えば、第一基板２の第一主面２１に導電性薄膜を直接形成し、エッチングにより第一導電性パターン群３Ａを形成する方法；印刷法などが挙げられる。第一基板２の第一主面２１に金属箔を直接形成する方法としては、例えば、無電解めっき法、物理蒸着法、化学蒸着法などが挙げられる。物理蒸着法としては、例えば、真空蒸着法、イオンプレーティング法、スパッタリング法などが挙げられる。印刷法としては、例えば、オフセット印刷、スクリーン印刷、グラビア印刷、フレキソ印刷、インクジェット印刷などが挙げられる。導電性薄膜としては、例えば、第一導電性パターン群３Ａを構成する材質と同一の材質からなる金属箔などを用いることができる。なお、第一実施形態では、第一導電性パターン群３Ａは、第一基板２の第一主面２１上に直接形成されているが、本開示はこれに限定されず、第一導電性パターン群３Ａは、接着層を介して第一基板２の第一主面２１に形成されていてもよい。この場合の第一タッチパネルセンサー用部材１Ａの製造方法としては、第一基板２の第一主面２１に接着層を介して導電性薄膜を貼り合わせ、エッチングにより第一導電性パターン群３Ａを形成する方法などが挙げられる。導電性薄膜を第一基板２に貼り合せる接着層を構成する材料としては、例えば、アクリル樹脂、エポキシ樹脂、ウレタン樹脂、これらを２種以上組み合わせた樹脂などを用いることができる。
【００５２】
［第一タッチパネルセンサー用部材１Ａの使用形態］
図３Ａは、第一タッチパネルセンサー用部材１Ａの第一使用形態に係るタッチパネルセンサー７（以下、第一タッチパネルセンサー７という）の概略正面図である。図３Ｂは、図３Ａ中の切断線Ｚ−Ｚに従って切断した第一タッチパネルセンサー７の概略断面図である。図４は、第一タッチパネルセンサー７に用いる別のタッチパネルセンサー用部材１Ｐの概略正面図である。以下、図３Ａ、図３Ｂ及び図４において、図１Ａに示す第一タッチパネルセンサー用部材１Ａの構成部材と同一の構成部材には同一符号を付して重複説明を省略する場合がある。
【００５３】
第一タッチパネルセンサー用部材１Ａは、例えば、図３Ａに示すように、別のタッチパネルセンサー用部材１Ｐと組み合わせて、第一タッチパネルセンサー７として使用することができる。なお、第一タッチパネルセンサー用部材１Ａと組み合わせるタッチパネルセンサー用部材は、別のタッチパネルセンサー用部材１Ｐに限られず、公知のタッチパネルセンサー用部材を用いることができる。
【００５４】
第一タッチパネルセンサー７は、図３Ａに示すように、第一タッチパネルセンサー用部材１Ａと、透明樹脂層８と、別のタッチパネルセンサー用部材１Ｐとを備える。第一タッチパネルセンサー用部材１Ａ、透明樹脂層８、及び別のタッチパネルセンサー用部材１Ｐはこの順に積層され、一体化されている。第一タッチパネルセンサー用部材１Ａ及び別のタッチパネルセンサー用部材１Ｐは、図３Ｂに示すように、第一タッチパネルセンサー用部材１Ａの第二主面２２と、別のタッチパネルセンサー用部材１Ｐの第一主面２１とが対向して配置されている。なお、第一タッチパネルセンサー用部材１Ａと、別のタッチパネルセンサー用部材１Ｐとの配置構成は、第一タッチパネルセンサー用部材１Ａの第二主面２２と、別のタッチパネルセンサー用部材１Ｐの第二主面２２とが対向する配置構成、第一タッチパネルセンサー用部材１Ａの第一主面２１と、別のタッチパネルセンサー用部材１Ｐの第一主面２１とが対向する配置構成、第一タッチパネルセンサー用部材１Ａの第一主面２１と、別のタッチパネルセンサー用部材１Ｐの第二主面２２とが対向する配置構成であってもよい。
【００５５】
別のタッチパネルセンサー用部材１Ｐは、図３Ａ、図３Ｂ及び図４に示すように、第一基板２と、別の第一導電性パターン群３Ｐとを備える。別の第一導電性パターン群３Ｐは、第一主面２１上に直接形成されており、複数の別の第一導電性パターン３Ｐ１〜３Ｐｋからなる。複数の別の第一導電性パターン３Ｐ１〜３Ｐｋは、別の第一電極部４Ｐ１〜４Ｐｋと、別の第一引出配線部５Ｐ１〜５Ｐｋとからなる。別の第一電極部４Ｐ１〜４Ｐｋは、Ｙ方向に延在している他は、第一電極部４Ａ１〜４Ａｎと同一の構成及び同一の配置である。別の第一引出配線部５Ｐ１〜５Ｐｋは、第一幅広部５Ｐ１１〜５Ｐ１ｋと、別の第一線部５Ｐ２１〜５Ｐ２ｋとからなる。別の第一引出配線部５Ｐ１〜５Ｐｋの一端部５１は別の第一電極部４Ｐ１〜４Ｐｋの一端部４１に電気的に接続されている。別の第一幅広部５Ｐ１１〜５Ｐ１ｋは、Ｙ方向に沿って延在している他は、第一幅広部５Ａ１１〜５Ａ１ｎと同一の構成及び同一の配置である。別の第一線部５Ｐ２１〜５Ｐ２ｋは、図４に示すように、Ｘ方向に沿って延在する部位と、別の第一引出配線部５Ｐ１〜５Ｐｋの他端部５２において、Ｙ方向に沿って延在する部位とを有する他は、第一線部５Ａ２１〜５Ａ２ｎと同一の構成である。個数ｋは、１以上の整数であり、検出領域１１の寸法、アスペクト比などに応じて適宜調整すればよい。
【００５６】
第一タッチパネルセンサー７は、タッチパネル装置のタッチ位置を検知するセンサ部品として使用することができる。この際、第一電極部４Ａ１〜４Ａｎ及び別の第一電極部４Ｐ１〜４Ｐｎは検出電極として機能する。
【００５７】
このようなタッチパネル装置は、静電容量方式の位置入力装置として機能し、第一タッチパネルセンサー７と、タッチパネル制御部と、フレキシブル配線基板とを備える。
【００５８】
第一タッチパネルセンサー７と、タッチパネル制御部とは、フレキシブル配線基板を用いて電気的に接続される。具体的には、第一タッチパネルセンサー７の接続端部領域６において、第一引出配線部５Ａ１〜５Ａｎ及び別の第一引出配線部５Ｐ１〜５Ｐｋの他端部５２と、フレキシブル配線基板の回路配線とは接合させている。接合方法としては、例えば、異方性導電粒子含有フィルムを用いて熱圧着する方法、ナノペーストを用いて溶融する方法などが挙げられる。
【００５９】
タッチパネル制御部は、タッチ位置を検出し、検出したタッチ位置を外部信号処理部に出力する。タッチパネル制御部の構成は、タッチパネル装置の検出方法に応じて適宜調整すればよく、公知の構成であってもよい。その一例として、相互容量型のタッチパネル制御部は、送信部、受信部、制御本体部などを含む。送信部は、送信電極（例えば、第一導電性パターン群３Ａ）に対して駆動信号を付加する。受信部は、送信電極に印加された駆動信号に応答した受信電極（例えば、別の第一導電性パターン群３Ｐ）の応答信号を受信して、送信電極及び受信電極が交差する電極交点ごとの静電容量に相当する検出量を出力する。制御本体部は、検出電極から出力される検出量に基づいてタッチ位置を検出し、検出したタッチ位置を外部の信号処理部に出力するとともに、検出電極の動作を制御する。外部信号処理部は、タッチ位置に基づいて表示画面データを生成し、生成した表示画面データを表示領域の画像表示を制御する画像表示制御部に出力する。これにより、ユーザが指示体で行ったタッチ操作に対応した画像が画像表示装置の表示領域に表示される。このタッチパネル装置は、第一タッチパネルセンサー用部材１Ａを用いるので、図９に示すタッチパネルセンサー用部材に比べて、配線抵抗が低く、接続端部領域６から画像表示制御部へ伝送される制御信号の伝達特性が劣化しにくい。その結果、表示画像の画質が劣化しにくい。タッチパネル制御部は、フレキシブル配線基板に実装されていてもよいし、フレキシブル配線基板とは別のリジッド基板に実装されていてもよい。外部信号処理部としては、例えば、パソコンなどを用いることができる。
【００６０】
タッチパネル装置の検出方法は、自己容量型であってもよいし、相互容量型であってもよい。
【００６１】
タッチパネル装置の検出方式が自己容量型である場合、指示体を第一電極部４Ａ１〜４Ａｎ及び別の第一電極部４Ｐ１〜４Ｐｎに近づけると、指示体と第一電極部４Ａ１〜４Ａｎとの間、および指示体と別の第一電極部４Ｐ１〜４Ｐｎとの間で静電容量が生じる。タッチパネル装置は、このときの静電容量の変化に基づいて、タッチ位置を算出することができる。タッチパネル装置は、指示体と第一電極部４Ａ１〜４Ａｎとの間の静電容量の変化に基づいてタッチ位置のＸ座標を検知することができる。指示体と別の第一電極部４Ｐ１〜４Ｐｎとの間の静電容量の変化に基づいてタッチ位置のＹ座標を検知することができる。指示体としては、例えば、ユーザの指先、スタイラス、指示棒などの導電体を用いることができる。
【００６２】
タッチパネル装置の検出方式が相互容量型である場合、タッチパネル装置は、送信電極（例えば、第一導電性パターン群３Ａ）に駆動電圧を印加し、受信電極（例えば、別の第一導電性パターン群３Ｐ）と指との間の静電容量の変化を検知する。これにより、タッチパネル装置は、他方の電極によりタッチ位置のＹ座標を検知し、一方の電極によりタッチ位置のＸ座標を検知する。
【００６３】
透明樹脂層８の材質としては、例えば、熱溶着フィルム、感圧型接着性粘着剤などを用いることができる。熱溶着フィルムは、例えば−１０〜４０℃でフィルム状であり、６０〜３００℃、好ましくは６０〜１８０℃の温度で加熱すると徐々に軟化又は溶融して隣接する層に接着し、硬化すると透明になるものであれば、特に限定されない。熱溶着フィルムを構成する材料としては、例えば、ポリエチレン−酢酸ビニル系共重合体、非晶性ポリエチレンテレフタレート系単独重合体、非晶性ポリエチレンテレフタレート系共重合体、ポリビニルブチラール系単独重合体、ポリビニルブチラール系共重合体の群の中から選ばれるものなどを用いることができる。
【００６４】
［第二実施形態に係るタッチパネルセンサー用部材１Ｂ］
図５は、第二実施形態に係るタッチパネルセンサー用部材１Ｂ（以下、第二タッチパネルセンサー用部材１Ｂという）の概略正面図である。図５中、Ｔ方向は、Ｙ方向を反時計周りに角度θだけ回転させた方向である。Ｓ方向は、Ｘ方向を反時計周りに角度θだけ回転させた方向である。
【００６５】
第二タッチパネルセンサー用部材１Ｂは、第一引出配線部５Ａ１〜５Ａｎの構成が異なる他は、第一タッチパネルセンサー用部材１Ａと同じ構成である。
【００６６】
第二実施形態では、第二タッチパネルセンサー用部材１Ｂの第二引出配線部５Ｂ１〜５Ｂｎは、平面視において、第一タッチパネルセンサー用部材１Ａの第一引出配線部５Ａ１〜５Ａｎよりも広範な面積となるように形成されている。図５において、図１Ａに示す第一タッチパネルセンサー用部材１Ａの構成部材と同一の構成部材には同一符号を付して重複説明を省略する場合がある。
【００６７】
第二タッチパネルセンサー用部材１Ｂは、図５に示すように、第一基板２と、第二導電性パターン群３Ｂとを備える。第二導電性パターン群３Ｂは、第一主面２１上に直接形成されており、複数の第二導電性パターン３Ｂ１〜３Ｂｎからなる。複数の第二導電性パターン３Ｂ１〜３Ｂｎは、第一電極部４Ａ１〜４Ａｎと、第二引出配線部５Ｂ１〜５Ｂｎとからなる。第二引出配線部５Ｂ１〜５Ｂｎは、第二幅広部５Ｂ１１〜５Ｂ１ｎと、第三幅広部５Ｂ２１〜５Ｂ２ｎと、第二線部５Ｂ３１〜５Ｂ３ｎとからなる。複数の第二導電性パターン３Ｂ１〜３Ｂｎは、第二幅広部５Ｂ１１〜５Ｂ１ｎのＸ方向の長さ、第三幅広部５Ｂ２１〜５Ｂ２ｎのＴ方向の長さ及び第二線部５Ｂ３１〜５Ｂ３ｎのＹ方向の長さがそれぞれ異なる他は同一の構成である。第二引出配線部５Ｂ１〜５Ｂｎの一端部５１は第一電極部４Ａ１〜４Ａｎの一端部４１に電気的に接続されている。接続端部領域６は、複数の第二導電性パターン３Ｂ１〜３Ｂｎの第二引出配線部５Ｂ１〜５Ｂｎの他端部５２が一つに集約されてなる。第二幅広部５Ｂ１１〜５Ｂ１ｎの線幅Ｗ３（Ｙ方向の長さ）と、第三幅広部５Ｂ２１〜５Ｂ２ｎの線幅Ｗ４（Ｓ方向の長さ）は、第二引出配線部５Ｂ１〜５Ｂｎの他端部５２の線幅、すなわち第二線部５Ｂ３１〜５Ｂ３ｎの線幅（Ｘ方向の長さ）より太い。複数の第二導電性パターン３Ｂ１〜３Ｂｎの第二幅広部５Ｂ１１〜５Ｂ１ｎ及び第三幅広部５Ｂ２１〜５Ｂ２ｎの平面視における面積は、第二引出配線部５Ｂ１〜５Ｂｎの一端部５１から他端部５２までの長さが長いほど大きい。複数の第二導電性パターン３Ｂ１〜３Ｂｎの隣り合う第二引出配線部５Ｂ１〜５Ｂｎの各配線間隔が同一であり、かつ第二引出配線部５Ｂ１〜５Ｂｎの一端部５１から他端部５２にかけて一定である。
【００６８】
第二実施形態では、図１Ａ及び図５より明らかなように、第二引出配線部５Ｂｎの平面視における面積は、第一実施形態における第一引出配線部５Ａｎの平面視における面積よりも大きい。すなわち、第二引出配線部５Ｂ１〜５Ｂｎの平面視における面積は、第一タッチパネルセンサー用部材１Ａの対応する第一引出配線部５Ａ１〜５Ａｎの平面視における面積よりも大きい。これにより、第二引出配線部５Ｂ１〜５Ｂｎの配線抵抗を第一引出配線部５Ａ１〜５Ａｎの配線抵抗よりも低減することができる。
【００６９】
第二実施形態では、上述したように、複数の第二導電性パターン３Ｂ１〜３Ｂｎの隣り合う第二引出配線部５Ｂ１〜５Ｂｎの各配線間隔が、同一であり、かつ第二引出配線部５Ｂ１〜５Ｂｎの一端部５１から他端部５２にかけて一定である。これにより、第一タッチパネルセンサー用部材１Ａと比べて、Ｙ方向において、第二側縁部２４側から２番目に配置された第二導電性パターン３Ｂ２の第二引出配線部５Ｂ２の配線間容量と、第一側縁部２３側から２番目に配置された第二導電性パターン３Ｂｎ−１の第二引出配線部５Ｂｎ−１の配線間容量とはより均一となる。すなわち、第二導電性パターン３Ｂ２〜３Ｂｎ−１の第二引出配線部５Ｂ１〜５Ｂｎの配線間容量は、第一タッチパネルセンサー用部材１Ａと比べて、より均一となる。
【００７０】
これらにより、第二実施形態によれば、非検出領域１２が狭くても、検出領域１１内の第二導電性パターン３Ｂ１，３Ｂｎに対応する領域を除いた主検出領域において、第一タッチパネルセンサー用部材１Ａに比べて、第二引出配線部５Ｂ１〜５Ｂｎの配線間容量及び配線抵抗をより均一にすることができる。すなわち、第二導電性パターン３Ｂ１〜３Ｂｎのそれぞれの信号伝搬時間をより均一にできるので、第二導電性パターン群３Ｂを大型化しても、タッチパネル制御部に過度の負担をかけることなく、タッチ位置による検出感度偏差がより生じにくいタッチパネルセンサーとすることができる。
【００７１】
〔第二導電性パターン群３Ｂ〕
第二導電性パターン群３Ｂは、複数の第二導電性パターン３Ｂ１〜３Ｂｎを有する。第二導電性パターン３Ｂ１は、図５に示すように、第一電極部４Ａ１と、第二引出配線部５Ｂ１とを有する。
【００７２】
（第二引出配線部５Ｂ１）
第二引出配線部５Ｂ１は、図５に示すように、第二幅広部５Ｂ１１、第三幅広部５Ｂ２１及び第二線部５Ｂ３１を有する。第二幅広部５Ｂ１１、第三幅広部５Ｂ２１及び第二線部５Ｂ３１は、この順に配置されて一体化されており、これらは互いに電気的に接続されている。第二引出配線部５Ｂ１は、非検出領域１２内に配置されている。第二引出配線部５Ｂ１の一端部５１から他端部５２にかけての配線長は、検出領域１１の寸法などに応じて適宜調整すればよく、好ましくは５０ｍｍ以上１５００ｍｍ以下である。
【００７３】
＜第二幅広部５Ｂ１１＞
第二幅広部５Ｂ１１は、図５に示すように、Ｘ方向に沿って延在し、その線幅Ｗ３が第二線部５Ｂ３１の線幅の各々よりも大きい直線形状である。第二実施形態では、第二幅広部５Ｂ１１と、第二電極パッド部４Ａ３１とは、ベタ構造を形成している。
【００７４】
第二実施形態では、第二幅広部５Ｂ１１の線幅Ｗ３は、第一電極部４Ａ１〜４Ａｎの幅Ｗ１と同一であるが、本開示はこれに限定されず、第二幅広部５Ｂ１１の線幅Ｗ３が第二線部５Ｂ３１の線幅（Ｘ方向の長さ）の各々よりも大きければ、第一電極部４Ａ１〜４Ａｎの幅Ｗ１よりも長くてもよいし、短くてもよい。この場合、第二幅広部５Ｂ１１の線幅Ｗ３は、第二線部５Ｂ３１の線幅に対して好ましくは２倍以上２００倍以下である。
【００７５】
＜第三幅広部５Ｂ２１＞
第三幅広部５Ｂ２１は、図５に示すように、Ｔ方向に沿って延在し、その線幅Ｗ４が第二線部５Ｂ３１の線幅の各々よりも大きい直線形状である。角度θは、検出領域１１の寸法、接続端部領域６の位置などに応じて適宜調整すればよく、好ましくは５度以上８５度以下である。
【００７６】
第三幅広部５Ｂ２１の線幅Ｗ４は、検出領域１１の寸法などに応じて適宜調整すればよく、第二線部５Ｂ３１の線幅に対して好ましくは２倍以上１００倍以下である。具体的には、第三幅広部５Ｂ２１の線幅Ｗ４は、好ましくは５μｍ以上１００μｍ以下である。第三幅広部５Ｂ２１のＴ方向の長さは、検出領域１１の寸法、接続端部領域６の位置などに応じて適宜調整すればよく、好ましくは１０μｍ以上８０００μｍ以下である。
【００７７】
＜第二線部５Ｂ３１＞
第二線部５Ｂ３１は、図５に示すように、Ｙ方向に沿って延在した直線形状である。第二線部５Ｂ３１のＹ方向の長さは、検出領域１１の寸法などに応じて適宜調整すればよく、好ましくは３０ｍｍ以上２５００ｍｍ以下である。第二線部５Ｂ３１のＹ方向の長さは、配線抵抗を低減させる観点から、短ければ短いほど好ましい。第二線部５Ｂ３１の線幅は、接続端部領域６において接合するフレキシブル配線基板の回路配線の配線間隔などに応じて適宜調整すればよく、好ましくは１０μｍ以上２００μｍ以上である。
【００７８】
＜第二導電性パターン３Ｂ２〜３Ｂｎ＞
図６は、第二タッチパネルセンサー用部材１Ｂの隣り合う３つの第二導電性パターン３Ｂｍ−１，３Ｂｍ，３Ｂｍ＋１の第二引出配線部５Ｂｍ−１，５Ｂｍ，５Ｂｍ＋１の概略正面図である。図６中、第二導電性パターン３Ｂｍは、第二導電性パターン３Ｂ２〜３Ｂｎ−１のうちの任意の１つである。第二導電性パターン３Ｂｍ＋１は、第二導電性パターン３Ｂｍと隣り合う２つの第二導電性パターン３Ｂｍ−１，３Ｂｍ＋１のうちの第一側縁部２３側に配置された第二導電性パターンである。第二導電性パターン３Ｂｍ−１は、第二導電性パターン３Ｂｍと隣り合う２つの第二導電性パターン３Ｂｍ−１，３Ｂｍ＋１のうちの第二側縁部２４側に配置された第二導電性パターンである。
【００７９】
第二導電性パターン３Ｂ２〜３Ｂｎの構成は、第二幅広部５Ｂ１２〜５Ｂ１ｎのＸ方向の長さ、第三幅広部５Ｂ２２〜５Ｂ２ｎのＴ方向の長さ及び第二線部５Ｂ３２〜５Ｂ３ｎのＹ方向の長さがそれぞれ異なる他は、第二導電性パターン３Ｂ１の構成と同一である。具体的に、第二導電性パターン３Ｂｍの第二幅広部５Ｂ１ｍのＸ方向の長さは、第二導電性パターン３Ｂ１の第三幅広部５Ｂ２１のＸ方向の長さよりも、（間隔Ｉ６の長さ）の（ｍ−１）倍の長さ分短い。すなわち、第二幅広部５Ｂ１ｍの面積は、第二幅広部５Ｂ１１の面積よりも、（第二幅広部５Ｂ１１〜５Ｂ１ｎの幅Ｗ３の長さ）×（間隔Ｉ６の長さ）の（ｍ−１）倍の面積分小さい。第二導電性パターン３Ｂｍの第三幅広部５Ｂ２ｍのＴ方向の長さは、第二導電性パターン３Ｂ１の第二幅広部５Ｂ１１のＴ方向の長さよりも、（間隔Ｉ７の長さから間隔Ｉ８の長さを減算した長さ）の（ｍ−１）倍の長さ分短い。すなわち、第三幅広部５Ｂ２ｍの面積は、第三幅広部５Ｂ２１の面積よりも（幅Ｗ１の長さ）×（配線間隔Ｉ５の長さから間隔Ｉ６の長さを減算した長さ）の（ｍ−１）倍の面積分小さい。また、第二導電性パターン３Ｂｍの第二線部５Ｂ３ｍのＹ方向の長さは、第二導電性パターン３Ｂ１の第二線部５Ｂ３ｍのＹ方向の長さよりも、（幅Ｉ９の長さ）の（ｍ−１）倍の長さ分短い。このように第二幅広部５Ｂ１２〜５Ｂ１ｎのＸ方向の長さ、第三幅広部５Ｂ２２〜５Ｂ２ｎのＴ方向の長さ及び第二線部５Ｂ３２〜５Ｂ３ｎのＹ方向の長さは、第二導電性パターン３Ｂ１〜３ＢｎがＹ方向において第一側縁部２３側に位置するほど、規則的に小さくなる。なお、Ｉ７はＩ８／ｃｏｓ（９０−θ）であり、Ｉ８はＩ６／ｓｉｎθである。
【００８０】
第二導電性パターン３Ｂｍの第二幅広部５Ｂ１ｍと、この第二導電性パターン３Ｂｍに隣り合う第二導電性パターン３Ｂｍ＋１，３Ｂｍ−１の第二幅広部５Ｂ１ｍ＋１，５Ｂ１ｍ−１とが対向する配線間隔Ｉ３は、それぞれ配線間隔Ｄと同じである。すなわち、隣り合う第二導電性パターン３Ｂ１〜３Ｂｎの第二幅広部５Ｂ１１〜５Ｂ１ｎは、それぞれ配線間隔Ｄと同じ間隔を空けて配置されている。
【００８１】
第二導電性パターン３Ｂｍの第三幅広部５Ｂ２ｍと、この第二導電性パターン３Ｂｍに隣り合う第二導電性パターン３Ｂｍ＋１，３Ｂｍ−１の第三幅広部５Ｂ２ｍ＋１，５Ｂ２ｍ−１とが対向する配線間隔Ｉ４は、それぞれ配線間隔Ｄと同じ間隔である。すなわち、隣り合う第二導電性パターン３Ｂ１〜３Ｂｎの第三幅広部５Ｂ２１〜５Ｂ２ｎは、それぞれ配線間隔Ｄと同じ間隔を空けて配置されている。
【００８２】
第二導電性パターン３Ｂｍの第二線部５Ｂ３ｍと、この第二導電性パターン３Ｂｍに隣り合う第二導電性パターン３Ｂｍ＋１，３Ｂｍ−１の第二線部５Ｂ３ｍ＋１，５Ｂ３ｍ−１とが対向する配線間隔Ｉ５は、それぞれ配線間隔Ｄと同じ間隔である。すなわち、隣り合う第二導電性パターン３Ｂ１〜３Ｂｎの第二線部５Ｂ３１〜５Ｂ３ｎは、それぞれ同じ配線間隔Ｄと間隔を空けて配置されている。配線間隔Ｉ５は、すなわち配線間隔Ｄは、接続端部領域６において接合するフレキシブル配線基板の回路配線の配線間隔などに応じて適宜調整すればよい。
【００８３】
［第三実施形態に係るタッチパネルセンサー用部材１Ｃ］
図７は、第三実施形態に係るタッチパネルセンサー用部材１Ｃ（以下、第三タッチパネルセンサー用部材１Ｃという）の概略正面図である。
【００８４】
第三タッチパネルセンサー用部材１Ｃは、第一引出配線部５Ａ１〜５Ａｎの構成が異なる他は、第一タッチパネルセンサー用部材１Ａと同じ構成である。第三実施形態では、第三タッチパネルセンサー用部材１Ｃの第三引出配線部５Ｃ１〜５Ｃｎは、平面視において、引出配線領域１３内にできる限り広範な面積となるように形成されている。図７において、図５に示す第一タッチパネルセンサー用部材１Ａの構成部材と同一の構成部材には同一符号を付して重複説明を省略する場合がある。
【００８５】
第三タッチパネルセンサー用部材１Ｃは、図７に示すように、第一基板２と、第三導電性パターン群３Ｃとを備える。第三導電性パターン群３Ｃは、第一主面２１上に直接形成されており、複数の第三導電性パターン３Ｃ１〜３Ｃｎからなる。複数の第三導電性パターン３Ｃ１〜３Ｃｎは、第一電極部４Ａ１〜４Ａｎと、第三引出配線部５Ｃ１〜５Ｃｎとからなる。第三引出配線部５Ｃ１〜５Ｃｎは、第四幅広部５Ｃ１１〜５Ｃ１ｎと、第五幅広部５Ｃ２１〜５Ｃ２ｎと、第三線部５Ｃ３１〜５Ｃ３ｎとからなる。複数の第三導電性パターン３Ｃ１〜３Ｃｎは、第四幅広部５Ｃ１１〜５Ｃ１ｎの構成、第五幅広部５Ｃ２１〜５Ｃ２ｎの構成及び第三線部５Ｃ３１〜５Ｃ３ｎのＹ方向の長さがそれぞれ異なる他は同一の構成である。第三引出配線部５Ｃ１〜５Ｃｎの一端部５１は第一電極部４Ａ１〜４Ａｎの一端部４１に電気的に接続されている。接続端部領域６は、複数の第三導電性パターン３Ｃ１〜３Ｃｎの第三引出配線部５Ｃ１〜５Ｃｎの他端部５２が一つに集約されてなる。第四幅広部５Ｃ１１〜５Ｃ１ｎの線幅Ｗ５（Ｙ方向の長さ）と、第五幅広部５Ｃ２１〜５Ｃ２ｎの線幅ＷＣ１〜ＷＣｎは、第三引出配線部５Ｃ１〜５Ｃｎの他端部５２の線幅、すなわち第三線部５Ｃ３１〜５Ｃ３ｎの線幅（Ｘ方向の長さ）より太い。複数の第三導電性パターン３Ｃ１〜３Ｃｎの第四幅広部５Ｃ１１〜５Ｃ１ｎ及び第五幅広部５Ｃ２１〜５Ｃ２ｎの平面視における面積は、第三引出配線部５Ｃ１〜５Ｃｎの一端部５１から他端部５２までの長さが長いほど大きい。複数の第三導電性パターン３Ｃ１〜３Ｃｎの隣り合う第三引出配線部５Ｃ１〜５Ｃｎの各配線間隔が、同一であり、かつ第三引出配線部５Ｃ１〜５Ｃｎの一端部５１から他端部５２にかけて一定である。隣り合う２つの第三導電性パターン３Ｃ１〜３Ｃｎのうちの第一側縁部２３に近い第三導電性パターン３Ｃ２〜３Ｃｎの第四幅広部５Ｃ１２〜５Ｃ１ｎ及び第五幅広部５Ｃ２２〜５Ｃ２ｎの線幅は、他方の第三導電性パターン３Ｃ１〜３Ｃｎ−１の第四幅広部５Ｃ１１〜５Ｃ１ｎ−１及び第五幅広部５Ｃ２１〜５Ｃ２ｎ−１の線幅以下の太さである。
【００８６】
第三実施形態では、図５及び図７より明らかなように、第三引出配線部５Ｃｎの平面視における面積は、第二実施形態における第二引出配線部５Ｂｎの平面視における面積よりも大きい。さらに、第三実施形態では、隣り合う２つの第三導電性パターン３Ｃ１〜３Ｃｎのうちの第一側縁部２３に近い第三導電性パターン３Ｃ２〜３Ｃｎの第四幅広部５Ｃ３２〜５Ｃ３ｎ及び第五幅広部５Ｃ２２〜５Ｃ２ｎの線幅は、他方の第三導電性パターン３Ｃ１〜３Ｃｎ−１の第四幅広部５Ｃ１１〜５Ｃ１ｎ−１及び第五幅広部５Ｃ２１〜５Ｃ２ｎ−１の線幅以下の太さである。すなわち、第三引出配線部５Ｃ１〜５Ｃｎの平面視における面積は、第二タッチパネルセンサー用部材１Ｂの対応する第二引出配線部５Ｂ１〜５Ｂｎの平面視における面積よりも大きい。これにより、第三引出配線部５Ｃ１〜５Ｃｎの配線抵抗を第二引出配線部５Ｂ１〜５Ｂｎの配線抵抗よりも低減することができる。
【００８７】
これらにより、第三実施形態によれば、非検出領域１２が狭くても、検出領域１１内の第三導電性パターン３Ｃ１，３Ｃｎに対応する領域を除いた主検出領域において、第二タッチパネルセンサー用部材１Ｂに比べて、第三引出配線部５Ｃ１〜５Ｃｎの配線抵抗をより均一にすることができる。すなわち、第三導電性パターン３Ｃ１〜３Ｃｎのそれぞれの信号伝搬時間をより均一にできるので、第三導電性パターン群３Ｃを大型化しても、タッチパネル制御部に過度の負担をかけることなく、タッチ位置による検出感度偏差がより生じにくいタッチパネルセンサーとすることができる。
【００８８】
〔第三導電性パターン群３Ｃ〕
第三導電性パターン群３Ｃは、複数の第三導電性パターン３Ｃ１〜３Ｃｎを有する。第三導電性パターン３Ｃ１は、図７に示すように、第一電極部４Ａ１と、第三引出配線部５Ｃ１とを有する。
【００８９】
（第三引出配線部５Ｃ１）
第三引出配線部５Ｃ１は、図７に示すように、第四幅広部５Ｃ１１、第五幅広部５Ｃ２１、及び第三線部５Ｃ３１を有する。第四幅広部５Ｃ１１、第五幅広部５Ｃ２１、及び第三線部５Ｃ３１は、この順に配置されて一体化されており、これらは互いに電気的に接続されている。第三引出配線部５Ｃ１は、非検出領域１２内に配置されている。第三引出配線部５Ｃ１の一端部５１から他端部５２にかけての配線長は、検出領域１１の寸法などに応じて適宜調整すればよく、好ましくは５０ｍｍ以上１５００ｍｍ以下である。
【００９０】
＜第四幅広部５Ｃ１１＞
第四幅広部５Ｃ１１は、図７に示すように、Ｘ方向に沿って延在し、その線幅Ｗ５が第三線部５Ｃ３１の線幅の各々よりも大きい直線形状である。第三実施形態では、第四幅広部５Ｃ１１と、第二電極パッド部４Ａ３１とは、ベタ構造を形成している。
【００９１】
第三実施形態では、第四幅広部５Ｃ１１の線幅Ｗ５は、第一電極部４Ａ１〜４Ａｎの幅Ｗ１と同一であるが、本開示はこれに限定されず、第四幅広部５Ｃ１１の線幅Ｗ５が第三線部５Ｃ３１の線幅の各々よりも大きければ、第一電極部４Ａ１〜４Ａｎの幅Ｗ１よりも短くてもよいし、長くてもよい。
【００９２】
＜第五幅広部５Ｃ２１＞
第五幅広部５Ｃ２１は、図７に示すように、第三側縁部２５側に不規則に延在し、その線幅ＷＣ１が第三線部５Ｃ３１の線幅の各々よりも大きい不規則な形状を有する。第五幅広部５Ｃ２１の幅ＷＣ１は、検出領域１１の寸法などに応じて適宜調整すればよく、太ければ太いほど好ましい。第五幅広部５Ｃ２１の長さは、画像表示装置の寸法などに応じて適宜調整すればよい。第五幅広部５Ｃ２１の線幅ＷＣ１は、第五幅広部５Ｃ２１の線幅のうち最も長い線幅をいう。第五幅広部５Ｃ２１の線幅とは、第五幅広部５Ｃ２１の左右の辺のいずれか一方の辺に対して垂直な方向の辺間の距離をいう。
【００９３】
＜第三線部５Ｃ３１＞
第三線部５Ｃ３１は、図７に示すように、Ｙ方向に沿って延在した直線形状である。第三線部５Ｃ３１のＹ方向の長さは、検出領域１１の寸法などに応じて適宜調整すればよく、好ましくは３０ｍｍ以上２５００ｍｍ以下である。第三線部５Ｃ３１のＹ方向の長さは、配線抵抗を低減させる観点から、短ければ短いほど好ましい。第三線部５Ｃ３１の線幅は、接続端部領域６において接合するフレキシブル配線基板の回路配線の配線間隔などに応じて適宜調整すればよく、好ましくは１０μｍ以上２００μｍ以上である。
【００９４】
＜第二導電性パターン３Ｂ２〜３Ｂｎ＞
図８は、第三タッチパネルセンサー用部材１Ｃの隣り合う３つの第三導電性パターン３Ｃｍ−１，３Ｃｍ，３Ｃｍ＋１の第三引出配線部５Ｃｍ−１，５Ｃｍ，５Ｃｍ＋１の概略正面図である。図８中、第三導電性パターン３Ｃｍは、第三導電性パターン３Ｃ２〜３Ｃｎ−１のうちの任意の１つである。第三導電性パターン３Ｃｍ＋１は、第三導電性パターン３Ｃｍと隣り合う２つの第三導電性パターン３Ｃｍ−１，３Ｃｍ＋１のうちの第一側縁部２３側に配置された第三導電性パターンである。第三導電性パターン３Ｃｍ−１は、第三導電性パターン３Ｃｍと隣り合う２つの第三導電性パターン３Ｃｍ−１，３Ｃｍ＋１のうちの第二側縁部２４側に配置された第三導電性パターンである。
【００９５】
第三導電性パターン３Ｃ２〜３Ｃｎの構成は、第四幅広部５Ｃ１２〜５Ｃ１ｎの構成、第五幅広部５Ｃ２２〜５Ｃ２ｎの構成及び第三線部５Ｃ３２〜５Ｃ３ｎのＹ方向の長さがそれぞれ異なる他は、第三導電性パターン３Ｃ１の構成と同一である。第四幅広部５Ｃ１１〜５Ｃ１ｎ、及び第五幅広部５Ｃ２１〜５Ｃ２ｎは、第三引出配線部５Ｃ１〜５Ｃｎの一端部から他端部までの長さが長いほど、面積が大きくなるように構成されている。第五幅広部５Ｃ２１〜５Ｃ２ｎの形状は、図７に示すように不規則な形状である。
【００９６】
第三導電性パターン３Ｃｍの第四幅広部５Ｃ１ｍと、この第三導電性パターン３Ｃｍに隣り合う第三導電性パターン３Ｃｍ＋１，３Ｃｍ−１の第四幅広部５Ｃ１ｍ＋１，５Ｃ１ｍ−１とが対向する配線間隔Ｉ１０は、それぞれ配線間隔Ｄと同じ間隔である。すなわち、隣り合う第三導電性パターン３Ｃ１〜３Ｃｎの第四幅広部５Ｃ１１〜５Ｃ１ｎは、それぞれ配線間隔Ｄと同じ間隔を空けて配置されている。
【００９７】
第三導電性パターン３Ｃｍの第五幅広部５Ｃ２ｍと、この第三導電性パターン３Ｃｍに隣り合う第三導電性パターン３Ｃｍ＋１，３Ｃｍ−１の第五幅広部５Ｃ２ｍ＋１，５Ｃ２ｍ−１とが対向する配線間隔Ｉ１１は、それぞれ配線間隔Ｄと同じ間隔である。すなわち、隣り合う第三導電性パターン３Ｃ１〜３Ｃｎの第五幅広部５Ｃ２１〜５Ｃ２ｎは、それぞれ配線間隔Ｄと同じ間隔を空けて配置されている。
【００９８】
第三導電性パターン３Ｃｍの第三線部５Ｃ３ｍと、この第三導電性パターン３Ｃｍに隣り合う第三導電性パターン３Ｃｍ＋１，３Ｃｍ−１の第三線部５Ｃ３ｍ＋１，５Ｃ３ｍ−１とが対向する配線間隔Ｉ１２は、それぞれ配線間隔Ｄと同じ間隔である。すなわち、隣り合う第三導電性パターン３Ｃ１〜３Ｃｎの第三線部５Ｃ３１〜５Ｃ３ｎは、それぞれ同じ配線間隔Ｄと間隔を空けて配置されている。配線間隔Ｉ１２は、すなわち配線間隔Ｄは、接続端部領域６において接合するフレキシブル配線基板の回路配線の配線間隔などに応じて適宜調整すればよい。
【符号の説明】
【００９９】
１Ａ，１Ｂ，１Ｃ    タッチパネルセンサー用部材
２    基板
３Ａ，３Ｂ，３Ｃ    導電性パターン群
３Ａ１〜３Ａｎ，３Ｂ１〜３Ｂｎ，３Ｃ１〜３Ｃｎ  導電性パターン
４Ａ１〜４Ａｎ  電極部
４Ａ１１〜４Ａ１ｎ，４Ａ３１〜４Ａ３ｎ    電極パッド部
４Ａ２１〜４Ａ２ｎ    透視性電極部
５Ａ１〜５Ａｎ，５Ｂ１〜５Ｂｎ，５Ｃ１〜５Ｃｎ    引出配線部
５Ａ２１〜５Ａ２ｎ，５Ｂ３１〜５Ｂ３ｎ，５Ｃ３１〜５Ｃ３ｎ    線部
５Ａ１１〜５Ａ１ｎ，５Ｂ１１〜５Ｂ１ｎ，５Ｂ２１〜５Ｂ２ｎ，５Ｃ１１〜５Ｃ１ｎ，５Ｃ２１〜５Ｃ２ｎ    幅広部
６    接続端部領域
４１  電極部の位置端部
５１  引出配線部の一端部
５２  引出配線部の他端部
【図１】
2018225633.tif 000003
【図２】
2018225633.tif 000004
【図３】
2018225633.tif 000005
【図４】
2018225633.tif 000006
【図５】
2018225633.tif 000007
【図６】
2018225633.tif 000008
【図７】
2018225633.tif 000009
【図８】
2018225633.tif 000010
【図９】
2018225633.tif 000011
【国際調査報告】
2018225633.tif 000012
2018225633.tif 000013
2018225633.tif 000014